(57)【要約】【課題】データの伝送効率を向上させて高速のスループットを実現する基地局装置を得ること。【解決手段】本発明にかかる基地局装置は、受信信号に含まれるＣＱＩ値に基づいて、適応変調で使用するＭＣＳを決定する基地局装置であって、移動局が伝送路状態を測定した時点から実際に適応変調後のデータを送信する時点までの時間経過に伴う伝送路状態の変動に応じて、前記ＣＱＩ値を補正する補正部（５）と、補正後のＣＱＩ値に基づいてＭＣＳを決定するＭＣＳ決定部（８）と、を備える。【選択図】        図１
2006295842.tif 000002
【特許請求の範囲】
【請求項１】
受信信号に含まれるＣＱＩ（Channel  Quality  Indication）値に基づいて、適応変調で使用するＭＣＳを決定する基地局装置において、
移動局が伝送路状態を測定した時点から実際に適応変調後のデータを送信する時点までの時間経過に伴う伝送路状態の変動に応じて、前記ＣＱＩ値を補正する補正手段と、
補正後のＣＱＩ値に基づいてＭＣＳを決定するＭＣＳ決定手段と、
を備えることを特徴とする基地局装置。
【請求項２】
前記補正手段は、
ＣＱＩ値を保持しておくためのＣＱＩ履歴保持手段と、
前記ＣＱＩ履歴保持手段に保持された所定数の過去のＣＱＩ値および最新のＣＱＩ値に基づいて現在または将来の伝送路状態を予測し、当該伝送路状態に基づいて前記受信信号に含まれるＣＱＩ値を補正する第１のＣＱＩ補正手段と、
を備えることを特徴とする請求項１に記載の基地局装置。
【請求項３】
前記第１のＣＱＩ補正手段は、
前記ＣＱＩ履歴保持手段に保持された所定数の過去のＣＱＩ値および最新のＣＱＩ値を回帰分析し、当該回帰分析結果をＣＱＩ値の補正結果とすることを特徴とする請求項２に記載の基地局装置。
【請求項４】
前記補正手段は、
受信信号に含まれるＴＰＣ（Transmitter  Power  Control）ビット値を保持しておくためのＴＰＣ情報保持手段と、
前記ＴＰＣ情報保持手段に保持されたＴＰＣビット値に基づいて現在または将来の伝送路状態を予測し、当該伝送路状態に基づいて前記受信信号に含まれるＣＱＩ値を補正する第２のＣＱＩ補正手段と、
を備えることを特徴とする請求項１、２または３に記載の基地局装置。
【請求項５】
前記第２のＣＱＩ補正手段は、さらに、
ＴＰＣビット値を累積加算し、当該加算結果に基づいてＣＱＩ値を補正することを特徴とする請求項４に記載の基地局装置。
【請求項６】
前記第２のＣＱＩ補正手段は、さらに、
前記ＴＢＣ情報保持手段に保持された所定数の過去のＴＰＣビット値および最新のＴＰＣビット値に基づいて回帰分析し、当該回帰分析結果に基づいて前記受信信号に含まれるＣＱＩ値を補正することを特徴とする請求項４または５に記載の基地局装置。
【請求項７】
前記補正手段は、
移動局の移動に伴うドップラー周波数情報（以下、ｆＤ情報と呼ぶ）を保持しておくためのｆＤ情報保持手段と、
前記ｆＤ情報保持手段に保持されたｆＤ情報に基づいて、前記受信信号に含まれるＣＱＩ値を補正する第３のＣＱＩ補正手段と、
を備えることを特徴とする請求項１〜６のいずれか一つに記載の基地局装置。
【請求項８】
前記第３のＣＱＩ補正手段は、さらに、
ｆＤ情報を累積加算し、当該加算結果に基づいてＣＱＩ値を補正することを特徴とする請求項７に記載の基地局装置。
【請求項９】
前記第３のＣＱＩ補正手段は、さらに、
前記ｆＤ情報保持手段に保持された所定数の過去のｆＤ情報および最新のｆＤ情報に基づいて回帰分析し、当該回帰分析結果に基づいて前記受信信号に含まれるＣＱＩ値を補正することを特徴とする請求項７または８に記載の基地局装置。
【請求項１０】
前記補正手段は、
受信信号に含まれる位置情報を保持しておくための位置情報保持手段と、
前記位置情報保持手段に保持された位置情報に基づいて、前記受信信号に含まれるＣＱＩ値を補正する第４のＣＱＩ補正手段と、
を備えることを特徴とする請求項１〜９のいずれか一つに記載の基地局装置。
【請求項１１】
前記第４のＣＱＩ補正手段は、さらに、
位置情報を累積加算し、当該加算結果に基づいてＣＱＩ値を補正することを特徴とする請求項１０に記載の基地局装置。
【請求項１２】
前記第４のＣＱＩ補正手段は、さらに、
前記位置情報保持手段に保持された所定数の過去の位置情報および最新の位置情報に基づいて回帰分析し、当該回帰分析結果に基づいて前記受信信号に含まれるＣＱＩ値を補正することを特徴とする請求項１０または１１に記載の基地局装置。
【請求項１３】
前記補正手段は、
受信信号に含まれるＡＣＫフィールド誤り率を保持しておくためのＡＣＫフィールド誤り率保持手段と、
前記ＡＣＫフィールド誤り率保持手段に保持された所定数の過去のＡＣＫフィールド誤り率および最新のＡＣＫフィールド誤り率に基づいて、前記受信信号に含まれるＣＱＩ値を補正する第５のＣＱＩ補正手段と、
を備えることを特徴とする請求項１〜１２のいずれか一つに記載の基地局装置。
【請求項１４】
前記第５のＣＱＩ補正手段は、さらに、
前記ＡＣＫフィールド誤り率保持手段に保持された所定数の過去のＡＣＫフィールド誤り率および最新のＡＣＫフィールド誤り率に基づいて回帰分析し、当該回帰分析結果に基づいて前記受信信号に含まれるＣＱＩ値を補正することを特徴とする請求項１３に記載の基地局装置。
【請求項１５】
前記補正手段は、
受信信号に含まれるＣＱＩフィールド誤り率を保持しておくためのＣＱＩフィールド誤り率保持手段と、
前記ＣＱＩフィールド誤り率保持手段に保持された所定数の過去のＣＱＩフィールド誤り率および最新のＣＱＩフィールド誤り率に基づいて、前記受信信号に含まれるＣＱＩ値を補正する第６のＣＱＩ補正手段と、
を備えることを特徴とする請求項１〜１４のいずれか一つに記載の基地局装置。
【請求項１６】
前記第６のＣＱＩ補正手段は、さらに、
前記ＣＱＩフィールド誤り率保持手段に保持された所定数の過去のＣＱＩフィールド誤り率および最新のＣＱＩフィールド誤り率に基づいて回帰分析し、当該回帰分析結果に基づいて前記受信信号に含まれるＣＱＩ値を補正することを特徴とする請求項１５に記載の基地局装置。
【請求項１７】
前記補正手段は、
上り方向の信号同期はずれを検出する同期はずれ検出手段と、
前記同期はずれ検出手段により同期はずれが検出された場合に、前記受信信号に含まれるＣＱＩ値を補正する第７のＣＱＩ補正手段と、
を備えることを特徴とする請求項１〜１６のいずれか一つに記載の基地局装置。
【発明の詳細な説明】
【技術分野】
【０００１】
本発明は、移動体通信システムで用いられる基地局装置に関するものであり、特に、ＣＱＩ（Channel  Quality  Indication）値に基づいて適応変調を行う基地局装置に関するものである。
【背景技術】
【０００２】
近年、携帯電話機等の移動端末（移動局）においては、多量の静止画や短時間の動画等を扱うためのマルチメディア対応が進められており、それに伴って大容量かつ高速のデータ伝送方法が必要となっている。この大容量かつ高速のデータ伝送方法としては、ＨＳＤＰＡ（High  Speed  Downlink  Packet  Access）方式があり、下り方向（基地局から移動局への方向）の伝送速度のみを高速化したＨＳ−ＰＤＳＣＨ（High  Speed-Physical  Downlink  Shared  Channel：高速下り共用チャネル）等を用いたデータ伝送方法が検討されている。
【０００３】
上記ＨＳＤＰＡの規格において、高速化を実現するための技術の一つとして、適応変調がある。適応変調とは、伝送路の瞬時ＳＩＲ（Signal  and  Interference  Ratio：信号対干渉比）値から伝送路状態を推定し、伝送路状態が悪い場合は、伝送レートを低くして誤り率を下げて確実に伝送する方式である。一例として、伝送パケットサイズ（Transport  Block  Size），変調方式（16QAM(Quadrature  Amplitude  Modulation),QPSK(Quadrature  Phase  Shift  Keying)），コード多重数（Nofcode）の一連のパラメータＣＱＩテーブル（CQI  mapping  table）を指標とする方法が３ＧＰＰ標準で規格化されている。具体的には、下記非特許文献１中の表７Ａ，７Ｂ，７Ｃ，７Ｄ，７Ｅにおいて定義されている。このテーブルでは、ＣＱＩ値が大きいほど、伝送路状態が良好であることを表している。
【０００４】
従来の移動体通信システムにおいては、移動局が、瞬時ＳＩＲを測定しこれをもとに決定したＣＱＩ値を基地局に報告する。そして、基地局がＣＱＩ値および上記テーブルに基づいてＭＣＳを決定している。
【０００５】
【非特許文献１】３ＧＰＰ  Ｓｐｅｃｉｆｉｃａｔｉｏｎ  ＴＳ２５．２１４
【発明の開示】
【発明が解決しようとする課題】
【０００６】
しかしながら、上記従来のＨＳＤＰＡの規格で適用されている適応変調では、実際には、移動局がＳＩＲを測定してからＣＱＩ値に変換するまでにかかる処理遅延時間、そのＣＱＩ値を基地局に報告するときにかかる伝播遅延時間、基地局が当該ＣＱＩ値に基づいてＭＣＳを決定するときにかかる処理遅延時間、基地局においてデータを送信するまでにかかる処理遅延時間、による遅延が存在する。そのため、たとえば、移動体通信システム等、伝送路状態が変動するような通信環境においては、その移動に処理が追随できず、適切なＭＣＳで送信できないことがある、という問題があった。
【０００７】
本発明は、上記に鑑みてなされたものであって、伝送路状態の変動に応じた適切なＭＣＳを決定し、それによって、より高速のスループットを実現する基地局装置を得ることを目的とする。
【課題を解決するための手段】
【０００８】
上述した課題を解決し、目的を達成するために、本発明にかかる基地局装置は、受信信号に含まれるＣＱＩ値に基づいて、適応変調で使用するＭＣＳを決定する基地局装置であって、移動局が伝送路状態を測定した時点から実際に適応変調後のデータを送信する時点までの時間経過に伴う伝送路状態の変動に応じて、前記ＣＱＩ値を補正する補正手段と、補正後のＣＱＩ値に基づいてＭＣＳを決定するＭＣＳ決定手段と、を備えることを特徴とする。
【発明の効果】
【０００９】
この発明によれば、ＣＱＩ値の履歴保持部を設け、当該履歴保持部に保持されたＣＱＩ値の履歴および最新のＣＱＩ値に基づいて、現在およびまたは将来の伝送路状態を予測することによりＣＱＩ値の補正を行い、当該補正されたＣＱＩ値をもってＭＣＳを決定することとした。これにより、上記遅延による問題が解消され、データの伝送効率が向上し、より高速のスループットを実現する基地局装置を得ることができる、という効果を奏する。
【発明を実施するための最良の形態】
【００１０】
以下に、本発明にかかる基地局装置（以下、基地局と呼ぶ）の実施の形態を図面に基づいて詳細に説明する。なお、この実施の形態によりこの発明が限定されるものではない。
【００１１】
実施の形態１．
図１は、本発明にかかる基地局の実施の形態１の構成例を示す図である。この実施の形態１における基地局は、受信アンテナ１，無線受信部２，復調部３，読み出し部４，本発明の特徴である補正部５，ＭＣＳ決定部８，適応変調部９，無線送信部１０，送信アンテナ１１を有する。また、上記補正部５は、ＣＱＩ補正部６とＣＱＩ履歴保持部７とを有する。
【００１２】
無線受信部２は、受信アンテナ１を介して、移動局から送信されたＣＱＩ値を含む無線信号を受信する。なお、ＣＱＩ値とは、移動局側において推定した下り回線の品質指標である。このＣＱＩ値は、移動局が基地局からの下り信号のＳＩＲを測定しこの測定結果に基づいて決定した値であり、送信データに対してマッピングした状態で基地局に送られる。
【００１３】
復調部３は、上記無線受信部２において所定の無線受信処理が行われた無線送信信号を復調する。そして、読み出し部４は、復調部３にて復調された信号からＣＱＩ値を読み出す。ここで、読み出されたＣＱＩ値は、移動局側で下り回線のＳＩＲを測定した時点での値である。しかしながら、移動局が下り回線のＳＩＲを測定し、ＣＱＩ値を決定するまでには処理時間に起因する遅延が発生する。さらに、基地局が基地局内スケジューラによって当該移動局を選択してＭＣＳを決定した後、実際に下りデータを送信する処理に関しても処理時間に起因する遅延が発生する。すなわち、基地局が決定したＭＣＳは、当該移動局にとっては既に適切なものではなくなっている可能性がある。そこで、本実施の形態においては、移動局が伝送路状態（ＳＩＲ）を測定した時点から実際に適応変調後のデータを送信する時点までの時間経過に伴う伝送路状態の変動に応じて適切なＭＣＳを決定してデータ伝送を行うために、基地局が、補正部５を用いてＣＱＩ値の補正処理を実施する。
【００１４】
補正部５においては、ＣＱＩ補正部６が、ＣＱＩ履歴保持部７に保持されたＣＱＩ値の履歴に基づいて現時点でのＣＱＩ値を予測する。これにより、ＣＱＩ値の補正を実現する。
【００１５】
ＣＱＩ値を補正後、ＭＣＳ決定部８は、補正部５によって補正されたＣＱＩ値に基づいてＭＣＳを決定し、さらに、適応変調部９は、ＭＣＳに従ってデータの適応変調を行う。そして、適応変調が実施された後のデータは、無線送信部１０を介して送信アンテナ１１より送信される。
【００１６】
ここで、上記ＣＱＩ補正部６の動作の一例を具体的に説明する。ＣＱＩ補正部６は、たとえば、回帰分析によってＣＱＩ値を予測する。たとえば、時刻ｔiでのＣＱＩ値をＣＱＩi、（Ｉ＝０，ｎ）とした場合、ＣＱＩ値における時刻ｔの関数ＣＱＩ（ｔ）は、次式（１）のように表すことができる。
【００１７】
【数１】
2006295842.tif 000003
…（１）
【００１８】
なお、上記回帰分析は直線回帰としたが、その他の重回帰アルゴリズムを使用した場合であっても本発明の趣旨をなんら妨げるものではない。
【００１９】
このように、本実施の形態においては、ＣＱＩ値の履歴を保持するための履歴保持部を設け、そのＣＱＩ値の履歴に基づいて、現在およびまたは将来の伝送路状態を予測することによりＣＱＩ値を補正し、補正後のＣＱＩ値に基づいてＭＣＳを決定することとした。これにより、上記遅延による問題が解消され、データの伝送効率が向上し、より高速のスループットを実現することができる。
【００２０】
実施の形態２．
図２は、本発明にかかる基地局の実施の形態２の構成例を示す図である。この実施の形態２における基地局は、前述した実施の形態１の読み出し部４および補正部５に代えて、本発明の特徴となる読み出し部４ａおよび補正部５ａを備える。また、上記補正部５ａは、ＣＱＩ補正部６ａとＴＰＣ情報保持部１２とを備える。以降、本実施の形態においては、前述した実施の形態１と異なる読み出し部４ａおよび補正部５ａについて説明する。
【００２１】
本実施の形態の読み出し部４ａは、復調部３にて復調された信号からＣＱＩ値、およびＴＰＣ情報を読み出し、読み出したＴＰＣ情報をＴＰＣ情報保持部１２に保持する。補正部５ａにおいては、ＣＱＩ補正部６ａが、ＴＰＣ情報保持部１２に保持されたＴＰＣ情報に基づいてＣＱＩ値を補正する。
【００２２】
なお、上記ＴＰＣは、３ＧＰＰにおけるＴＳ２５．２１４において規格化されている上り個別チャネル（Uplink  DPCCH）内の「Ｔｒａｎｓｍｉｔ  Ｐｏｗｅｒ  Ｃｏｎｔｒｏｌフィールド」に格納されるビット値である。ここで、ＴＰＣビットを簡潔に説明する。ＣＤＭＡ方式では、その方式の性質上、移動局にとって同一基地局に属する他の移動局への送信電波は干渉となる。たとえば、移動局が基地局から遠ざかった場合は、距離減衰により受信電力が小さくなる。そのため、移動局が基地局からの電波を受信する際に、その受信電波が基地局から他の移動局への送信電波による干渉に埋もれないようにするためには、基地局側の送信電力を大きくする必要がある。これを実現するため、移動局は、受信電力をモニタし、たとえば、受信電力が小さくなった場合は、基地局に対して送信電力を大きくするように要求する。一方、移動局が基地局に近づく場合は、移動局が基地局に対して送信電力を小さくするように要求する。これらの要求は、ＴＰＣフィールドに格納されるＴＰＣビットを用いて行われる。
【００２３】
上記ＴＰＣを利用して、本実施の形態のＣＱＩ補正部６ａにおいては、たとえば、上記ＴＰＣが基地局送信電力の増加を要求する値である場合に、移動局が基地局から遠ざかりつつある状況などのようにＳＩＲが減少する傾向であると判断し、読み出し部４ａにて読み出されたＣＱＩ値から一定の値を減じる。これに対して、上記ＴＰＣが基地局送信電力の減少を要求する値である場合は、移動局が基地局に近づきつつある状況などのようにＳＩＲが増加する傾向であると判断し、読み出し部４ａにて読み出されたＣＱＩ値に一定の値を加える。
【００２４】
なお、上記ＣＱＩ補正部６ａは、さらに、直近のＣＱＩ値以降のＴＰＣを累積加算し、当該加算結果に基づいてＣＱＩ値を補正することによって、より補正の精度を向上させることができる。また、前述した実施の形態１と同様に、ＴＰＣの履歴および最新のＴＰＣについての回帰分析を行い、当該回帰分析結果に基づいてＣＱＩ値を補正することによって、さらに補正の精度を向上させることができる。
【００２５】
このように、本実施の形態においては、ＴＰＣ情報保持部を設け、そのＴＰＣ情報保持部に保持されているＴＰＣ情報に基づいて現在およびまたは将来の伝送路状態を予測することによりＣＱＩ値を補正し、補正後のＣＱＩ値に基づいてＭＣＳを決定することとした。これにより、前述した遅延による問題が解消され、データの伝送効率が向上し、より高速のスループットを実現できる。
【００２６】
実施の形態３．
図３は、本発明にかかる基地局の実施の形態３の構成例を示す図である。この実施の形態３における基地局は、前述した実施の形態１の読み出し部４および補正部５に代えて、本発明の特徴である読み出し部４ｂおよび補正部５ｂを備える。また、上記補正部５ｂは、ＣＱＩ補正部６ｂとｆＤ情報保持部１３とを備える。以降、本実施の形態においては、前述した実施の形態１および２と異なる読み出し部４ｂおよび補正部５ｂについて説明する。
【００２７】
本実施の形態の読み出し部４ｂは、復調部３にて復調された信号からＣＱＩ値およびｆＤ情報を読み出し、読み出したｆＤ情報をｆＤ情報保持部１３に保持する。補正部５ｂでは、ＣＱＩ補正部６ｂが、ｆＤ情報保持部１３に保持されたｆＤ情報に基づいてＣＱＩ値を補正する。
【００２８】
なお、上記ｆＤはドップラー周波数を表す。基地局は、移動局が受信している信号のドップラー周波数の遷移に基づいて移動局が自局から遠ざかっているか、近づいているか、または、自局からの距離が変わらないか、の判断を行う。
【００２９】
本実施の形態のＣＱＩ補正部６ｂでは、たとえば、上記ｆＤ情報（ドップラー周波数の情報）に基づいて移動局が基地局から遠ざかりつつあると判断した場合は、ＳＩＲが減少する傾向であると判断し、読み出し部４ｂにて読み出されたＣＱＩ値から一定の値を減じる。これに対して、上記ｆＤ情報の遷移に基づいて移動局が基地局に近づきつつあると判断した場合は、ＳＩＲが増加する傾向であると判断し、ＣＱＩ読み出し部４ｂにて読み出されたＣＱＩ値に一定の値を加える。
【００３０】
なお、上記ＣＱＩ補正部６ｂは、さらに、直近のＣＱＩ値以降のｆＤ情報を累積加算し、当該加算結果に基づいてＣＱＩ値の補正を行うようにすることによって、より補正の精度を向上させることができる。また、前述した実施の形態１と同様に、ｆＤ情報の履歴および最新のｆＤ情報についての回帰分析を行い、当該回帰分析結果に基づいてＣＱＩ値を補正することによって、さらに補正の精度を向上させることができる。
【００３１】
このように、本実施の形態においては、ｆＤ情報保持部を設け、そのｆＤ情報保持部に保持されているｆＤ情報に基づいて現在およびまたは将来の伝送路状態を予測することによりＣＱＩ値を補正し、補正後のＣＱＩ値に基づいてＭＣＳを決定することとした。これにより、前述した遅延による問題が解消され、データの伝送効率が向上し、より高速のスループットを実現できる。
【００３２】
実施の形態４．
図４は、本発明にかかる基地局の実施の形態４の構成例を示す図である。この実施の形態４における基地局は、前述した実施の形態１の読み出し部４および補正部５に代えて、本発明の特徴である読み出し部４ｃおよび補正部５ｃを備える。また、上記補正部５ｃは、ＣＱＩ補正部６ｃと位置情報保持部１４とを備える。以降、本実施の形態においては、前述した実施の形態１、２および３と異なる読み出し部４ｃおよび補正部５ｃについて説明する。
【００３３】
本実施の形態の読み出し部４ｃは、復調部３にて復調された信号からＣＱＩ値および位置情報を読み出し、読み出した位置情報を位置情報保持部１４に保持する。補正部５ｃでは、ＣＱＩ補正部６ｃが、位置情報保持部１４に保持された位置情報に基づいてＣＱＩ値を補正する。
【００３４】
なお、上記位置情報は移動局の位置情報である。移動局がＧＰＳ（Global  Positioning  System：全地球測位システム）衛星から受信したデータを基地局に送信すると、基地局は、移動局から受信したデータに基づいて移動局の位置情報（緯度・経度情報）を取得する。基地局は、上記位置情報に基づいて、当該移動局が自局から遠ざかっているか、近づいているか、または、自局からの距離が変わらないか、の判断を行う。
【００３５】
本実施の形態のＣＱＩ補正部６ｃでは、たとえば、上記位置情報により移動局が基地局から遠ざかりつつある状況であると判断した場合に、ＳＩＲが減少する傾向であると判断し、読み出し部４ｃにて読み出されたＣＱＩ値から一定の値を減じる。これに対して、移動局が基地局に近づきつつある状況であると判断した場合は、ＳＩＲが増加する傾向であると判断し、読み出し部４ｃにて読み出されたＣＱＩ値に一定の値を加える。
【００３６】
なお、上記ＣＱＩ補正部６ｃは、さらに、直近のＣＱＩ値以降の位置情報を累積加算し、当該加算結果に基づいてＣＱＩ値を補正することによって、より補正の精度を向上させることができる。また、前述した実施の形態１と同様に、位置情報の履歴および最新の位置情報についての回帰分析を行い、当該回帰分析結果に基づいてＣＱＩ値を補正することによって、さらに補正の精度を向上させることができる。
【００３７】
このように、本実施の形態においては、位置情報保持部を設け、その位置情報保持部に保持されている位置情報に基づいて現在およびまたは将来の伝送路状態を予測することによりＣＱＩ値を補正し、補正後のＣＱＩ値に基づいてＭＣＳを決定することとした。これにより、前述した遅延による問題が解消され、データの伝送効率が向上し、より高速のスループットを実現できる。
【００３８】
実施の形態５．
図５は、本発明にかかる基地局の実施の形態５の構成例を示す図である。この実施の形態５における基地局は、前述した実施の形態１の読み出し部４および補正部５に代えて、本発明の特徴である読み出し部４ｄおよび補正部５ｄを備える。また、上記補正部５ｄは、ＣＱＩ補正部６ｄとＡＣＫフィールド誤り率保持部１５とを備える。以降、本実施の形態においては、前述した実施の形態１〜４と異なる読み出し部４ｄおよび補正部５ｄについて説明する。
【００３９】
本実施の形態の読み出し部４ｄは、復調部３にて復調された信号からＣＱＩ値およびＡＣＫフィールド誤り率を読み出し、読み出したＡＣＫフィールド誤り率をＡＣＫフィールド誤り率保持部１５に保持する。補正部５ｄでは、ＣＱＩ補正部６ｄが、ＡＣＫフィールド誤り率保持部１５に保持されたＡＣＫフィールド誤り率に基づいてＣＱＩ値を補正する。
【００４０】
ここで、上記ＡＣＫフィールドはＨＳＤＰＡにおいて規格化されている。基地局は、移動局がパケットを正しく受信できなかった場合にパケットの再送信を行う旨がＨＳＤＰＡにおいて規格化されている。さらに、移動局は、パケットの再送信が必要か否かの情報をＡＣＫまたはＮＡＣＫの送信により基地局に対して通知する旨がＨＳＤＰＡにおいて規格化されている。
【００４１】
さらに、３ＧＰＰのＴＳ２５．２１２においては、ＨＳＤＰＡ用上り回線（HS-DPCCH）のＡＣＫフィールドが、値１の１０ビット繰り替えしパターンを示している場合にはＡＣＫを表し、また、値０の１０ビット繰り替えしパターンを示している場合にはＮＡＣＫを表す旨が規格化されている。
【００４２】
すなわち、上記ＣＱＩ補正部６ｄは、上記ＨＳＤＰＡ用上り回線のＡＣＫフィールドが値１の１０ビット繰り替えしパターンまたは値０の１０ビット繰り替えしパターンのいずれにも該当しない場合は、ＡＣＫまたはＮＡＣＫのいずれにも該当しないため、上りの伝送路において干渉による誤りが発生したと判断する。
【００４３】
なお、通常上りと下りで異なるチャネル（周波数帯）を用いて通信を行う場合は、上りの伝送路状態と下りの伝送路状態が同様に変動していると判断することはできない。しかしながら、上り回線と下り回線の周波数の小さい場合におけるＦＤＤ（Frequency  Division  Duplex）モードおよび上り回線と下り回線とで同一の周波数を使用するＴＤＤ（Time  Division  Duplex）モードについては、上りの伝送路状態と下りの伝送路状態が同様に変動していると判断することができる。本実施の形態はこれを利用するものである。
【００４４】
本実施の形態のＣＱＩ補正部６ｄでは、たとえば、上記ＡＣＫフィールド誤り率保持部１５において保持されているＡＣＫフィールド誤り率の履歴および上記で読み出した最新のＡＣＫフィールド誤り率について解析し、ＡＣＫフィールド誤り率が増加傾向である場合は、移動局が基地局から遠ざかりつつある状況などのようにＳＩＲが減少する傾向と判断し、読み出し部４ｄにて読み出されたＣＱＩ値から一定の値を減じる。これに対して、上記ＡＣＫフィールド誤り率が減少傾向である場合は、移動局が基地局に近づきつつある状況などのようにＳＩＲが増加する傾向と判断し、読み出し部４ｄにて読み出されたＣＱＩ値に一定の値を加える。
【００４５】
なお、ＣＱＩ補正部６ｄは、さらに、前述した実施の形態１と同様に、ＡＣＫフィールド誤り率の履歴および最新のＡＣＫフィールド誤り率についての回帰分析を行い、回帰分析されたＡＣＫフィールド誤り率に基づいてＣＱＩ値の補正を行うようにすることで、より補正の精度を向上させることができる。
【００４６】
このように、本実施の形態においては、ＡＣＫフィールド誤り率保持部を設け、そこに保持されているＡＣＫフィールド誤り率および最新のＡＣＫフィールド誤り率に基づいて、現在およびまたは将来の伝送路状態を予測することによりＣＱＩ値を補正し、補正後のＣＱＩ値に基づいてＭＣＳを決定することとした。これにより、上記遅延による問題が解消され、データの伝送効率が向上し、より高速のスループットを実現できる。
【００４７】
実施の形態６．
図６は、本発明にかかる基地局の実施の形態６の構成例を示す図である。この実施の形態６における基地局は、前述した実施の形態１の読み出し部４および補正部５に代えて、本発明の特徴である読み出し部４ｅおよび補正部５ｅを備える。また、上記補正部５ｅは、ＣＱＩ補正部６ｅとＣＱＩフィールド誤り率保持部１６とを備える。以降、本実施の形態においては、前述した実施の形態１〜５と異なる読み出し部４ｅおよび補正部５ｅについて説明する。
【００４８】
本実施の形態の読み出し部４ｅは、復調部３にて復調された信号からＣＱＩ値およびＣＱＩフィールド誤り率を読み出し、読み出したＣＱＩフィールド誤り率をＣＱＩフィールド誤り率保持部１６に保持する。補正部５ｅでは、ＣＱＩ補正部６ｅが、ＣＱＩフィールド誤り率保持部１６に保持されたＣＱＩフィールド誤り率に基づいて、ＣＱＩ値を補正する。
【００４９】
なお、上記ＣＱＩフィールド誤り率は、たとえば、次のように定義する。３ＧＰＰにおけるＴＳ２５．２１２の４．７．７によると、移動局は、３ＧＰＰにおけるＴＳ２５．２１４に示すＣＱＩマッピングテーブル（ＴＡＢＬＥ  ７Ｄ）のＣＱＩを表す５ビット分を（以下、ＣＱＩデータと呼ぶ）、２０ビットのデータに符号化し、その後、符号化後の２０ビットのデータを、ＨＳＤＰＡ用上り回線（HS-DPCCH）のＣＱＩフィールドに格納して基地局へ送信する。ここで、符号化後のＣＱＩデータは、符号化される前のＣＱＩデータの値が１から１５の場合は、符号化後のビット１５〜ビット１９（０オリジンで、ビット１９がＭＳＢ）がすべて‘０’となる。これに対して、符号化される前のＣＱＩデータの値が１６から３０の場合は、符号化後のビット１５〜ビット１９がすべて‘１’になる。この特徴に基づいて、上記ＣＱＩ補正部６ｅは、復号化される前のＣＱＩデータのビット１５〜ビット１９がすべて‘０’、または、すべて‘１’のいずれにも該当しない場合に、上りの伝送路において干渉による誤りが発生したと判断する。
【００５０】
本実施の形態のＣＱＩ補正部６ｅでは、前述した実施の形態５と同様に、上り回線と下り回線の周波数の小さい場合におけるＦＤＤ（Frequency  Division  Duplex）モードおよび上り回線と下り回線とで同一の周波数を使用するＴＤＤ（Time  Division  Duplex）モードにおいて、上りの伝送路状態と下りの伝送路状態が同様に変動していると判断することができることを利用する。すなわち、ＣＱＩ補正部６ｅは、たとえば、上記ＣＱＩフィールド誤り率保持部１６において保持されているＣＱＩフィールド誤り率の履歴および上記で読み出した最新のＣＱＩフィールド誤り率について解析し、ＣＱＩフィールド誤り率が増加傾向である場合は、移動局が基地局から遠ざかりつつある状況などのようにＳＩＲが減少する傾向と判断し、読み出し部４ｅにて読み出されたＣＱＩ値から一定の値を減じる。これに対して、上記ＣＱＩフィールド誤り率が減少傾向である場合は、移動局が基地局に近づきつつある状況などのようにＳＩＲが増加する傾向と判断し、読み出し部４ｅにて読み出されたＣＱＩ値に一定の値を加える。
【００５１】
なお、上記ＣＱＩ補正部６ｅは、さらに、前述した実施の形態１〜５と同様に、ＣＱＩフィールド誤り率の履歴および最新のＣＱＩフィールド誤り率についての回帰分析を行い、当該回帰分析結果に基づいてＣＱＩ値の補正を行うようにすることで、より補正の精度を向上させることができる。
【００５２】
このように、本実施の形態においては、ＣＱＩフィールド誤り率保持部を設け、そのＣＱＩフィールド誤り率保持部に保持されているＣＱＩフィールド誤り率および最新のＣＱＩにフィールド誤り率に基づいて、現在およびまたは将来の伝送路状態を予測することによりＣＱＩ値を補正し、補正後のＣＱＩ値に基づいてＭＣＳを決定することとした。これにより、上記遅延による問題が解消され、データの伝送効率が向上し、より高速のスループットを実現できる。
【００５３】
実施の形態７．
図７は、本発明にかかる基地局の実施の形態７の構成例を示す図である。この実施の形態７における基地局は、前述した実施の形態１の読み出し部４および補正部５に代えて、本発明の特徴である読み出し部４ｆおよび補正部５ｆを備える。また、上記補正部５ｆは、ＣＱＩ補正部６ｆと上り同期はずれ検出部１７とを備える。以降、本実施の形態においては、前述した実施の形態１〜６と異なる読み出し部４ｆおよび補正部５ｆについて説明する。
【００５４】
本実施の形態の読み出し部４ｆは、復調部３にて復調された信号からＣＱＩ値および上り同期はずれを検出するためのデータを読み出す。補正部５ｆでは、上り同期はずれ検出部１７は、読み出し部４ｆに読み出された同期はずれを検出するためのデータに基づいて上り同期はずれが発生したかどうかを判断する。そして、ＣＱＩ補正部６ｆは、上り同期はずれ検出部１７が上り同期はずれを検出した場合にＣＱＩ値を補正する。
【００５５】
なお、３ＧＰＰのＴＳ２５．２１４においては、上り同期はずれが明確には規定されていないが、上記ＴＳ２５．２１４内の４．３．１．３の中には下り同期はずれが例示されており、上り同期はずれを下り同期はずれと同様に考えることができる。たとえば、上記４．３．１．３には、上り回線のＴＰＣ等の情報を読み出すときに発生する誤り率が規定値を超えた場合には、同期はずれが発生したと判断できることが例示されている。
【００５６】
本実施の形態のＣＱＩ補正部６ｆでは、前述した実施の形態５と同様に、上り回線と下り回線の周波数の小さい場合におけるＦＤＤ（Frequency  Division  Duplex）モードおよび上り回線と下り回線とで同一の周波数を使用するＴＤＤ（Time  Division  Duplex）モードにおいて、上りの伝送路状態と下りの伝送路状態が同様に変動していると判断することができることを利用する。すなわち、ＣＱＩ補正部６ｆは、たとえば、上記同期はずれ検出部１７において同期はずれが検出された場合、移動局が基地局から遠ざかりつつある状況などのようにＳＩＲが減少する傾向と判断し、読み出し部４ｆにて読み出されたＣＱＩ値から一定の値を減じる。
【００５７】
このように、本実施の形態においては、上り同期はずれ検出部を設け、上り同期はずれ検出部の情報に基づいてＣＱＩ値を補正し、補正後のＣＱＩ値に基づいてＭＣＳを決定することとした。これにより、上記遅延による問題が解消され、データの伝送効率が向上し、より高速のスループットを実現できる。
【００５８】
なお、以上の実施の形態１〜７の処理は独立に実施可能なものとして記載したが、これに限らず、たとえば、上記実施の形態１〜７に記載の補正部（５，５ａ，５ｂ，５ｃ，５ｄ，５ｅ，５ｆ）の機能を任意に組み合わせることとしてもよい。これにより、さらにＣＱＩ値の補正の精度を向上させることができる。
【産業上の利用可能性】
【００５９】
以上のように、本発明にかかる基地局装置は、移動体通信システムに有用であり、特に、ＣＱＩ値に基づいて適応変調を行う基地局装置に適している。
【図面の簡単な説明】
【００６０】
【図１】本発明にかかる基地局装置の実施の形態１の構成例を示す図である。
【図２】本発明にかかる基地局装置の実施の形態２の構成例を示す図である。
【図３】本発明にかかる基地局装置の実施の形態３の構成例を示す図である。
【図４】本発明にかかる基地局装置の実施の形態４の構成例を示す図である。
【図５】本発明にかかる基地局装置の実施の形態５の構成例を示す図である。
【図６】本発明にかかる基地局装置の実施の形態６の構成例を示す図である。
【図７】本発明にかかる基地局装置の実施の形態７の構成例を示す図である。
【符号の説明】
【００６１】
１  受信アンテナ
２  無線受信部
３  復調部
４，４ａ，４ｂ，４ｃ，４ｄ，４ｅ，４ｆ  読み出し部
５，５ａ，５ｂ，５ｃ，５ｄ，５ｅ，５ｆ  補正部
６，６ａ，６ｂ，６ｃ，６ｄ，６ｅ，６ｆ  ＣＱＩ補正部
７  ＣＱＩ履歴保持部
８  ＭＣＳ決定部
９  適応変調部
１０  無線送信部
１１  送信アンテナ
１２  ＴＰＣ情報保持部
１３  ｆＤ情報保持部
１４  位置情報保持部
１５  ＡＣＫフィールド誤り率保持部
１６  ＣＱＩフィールド誤り率保持部
１７  上り同期はずれ検出部
【図１】
2006295842.tif 000004
【図２】
2006295842.tif 000005
【図３】
2006295842.tif 000006
【図４】
2006295842.tif 000007
【図５】
2006295842.tif 000008
【図６】
2006295842.tif 000009
【図７】
2006295842.tif 000010